(57)【要約】  本発明の態様は、光伝送ネットワークにおいてクライアント信号を送信しかつ受信するための方法及び装置を提供し、かつ、光伝送ネットワークの分野に関する。前記送信方法は、受信したクライアント信号を可変レートコンテナOTU-Nにマッピングするステップであって、前記OTU-Nのレートは、予め設定された基準レートレベルのN倍の高さであり、かつ値Nは設定可能な正の整数である、ステップと、前記可変レートコンテナOTU-Nを、列でNの光サブチャネル伝送ユニットOTUsubに分配するステップであって、各OTUsubのレートは前記基準レートレベルに等しい、ステップと、前記Nの光サブチャネル伝送ユニットOTUsubを1又は2以上の光キャリアに変調するステップと、前記1又は2以上の光キャリアを送信用の同一のファイバ上に送信するステップとを含む。本発明の態様は、前記クライアント信号を可変レートコンテナOTU-Nにマッピングし、かつ同一ファイバを使用して前記OTU-Nを送信し、その結果、光学層のスペクトル帯域幅の変化に適応可能となり、かつ光伝送ネットワーク帯域幅リソースの最適な構成を実現する。
2015531194.tif 000002
【特許請求の範囲】
【請求項１】
光伝送ネットワークにおいて、クライアント信号を送信するための方法であって、
受信したクライアント信号を、可変レートコンテナOTU-Nにマッピングするステップであって、前記OTU-Nのレートは予め設定された基準レートレベルのN倍の高さであり、かつ前記値Nは、設定可能な正の整数である、ステップと、
前記可変レートコンテナOTU-Nを、列でNの光サブチャネル伝送ユニットOTUsubに分配するステップであって、各OTUsubのレートは前記基準レートレベルに等しい、ステップと、
前記Nの光サブチャネル伝送ユニットOTUsubを1又は2以上の光キャリアに変調するステップと、
前記1又は2以上の光キャリアを送信用の同一のファイバ上に送信するステップと
を含む方法。
【請求項２】
前記値Nは、前記クライアント信号のトラフィック量と前記基準レートレベルとに基づいて決定される請求項1に記載の方法。
【請求項３】
前記OTU-Nのフレーム構造は、列をインターリーブすることによるNのサブフレームから形成されており、かつ各サブフレームのレートは前記基準レートレベルである、請求項1又は2に記載の方法。
【請求項４】
前記予め設定された基準レートレベルは、ITU-T G.709規格において定義される光チャネル伝送ユニットOTUj(j=1,2,3,4)の1つのレートレベルである、請求項1〜3のいずれか一項に記載の方法。
【請求項５】
前記予め設定された基準レートレベルは、OTU4のレートレベルである、請求項4に記載の方法。
【請求項６】
前記予め設定された基準レートレベルは、ITU-T G.694規格において定義される光スペクトルグリッド帯域幅の整数倍である、請求項1〜3のいずれか一項に記載の方法。
【請求項７】
前記予め設定された基準レートレベルは、前記光スペクトルグリッド帯域幅の2倍である、請求項6に記載の方法。
【請求項８】
前記光スペクトルグリッド帯域幅は12.5Gであり、かつ前記基準レートレベルは25Gである、請求項7に記載の方法。
【請求項９】
列をインターリーブすることによって前記OTU-Nを、NのOTUsubに分配する前記ステップは、
列をインターリーブすることによって前記OTU-NをNのサブチャネルに分配し、かつ前記NのOTUsubを取得するために各サブチャネルに対してFECを実行するとともにFECオーバーヘッド情報を追加するステップ、
又は、
処理されたOTU-Nを取得するために前記OTU-Nに対してFECを実行するとともにFECオーバーヘッド情報を追加し、かつ列をインターリーブすることによって前記処理されたOTU-Nを前記NのOTUsubに分配するステップ
を含む、請求項1〜8のいずれか一項に記載の方法。
【請求項１０】
前記NのOTUsubを複数の光キャリアに変調する前記ステップは、
前記NのOTUsubをMグループに分割するステップであって、前記複数の光キャリアはMの光サブキャリアを含み、前記値Mは正の整数であり、かつ前記値Nは前記値Mの整数倍に設定される、ステップと、
OTUsubの各グループを1のサブキャリアに変調するステップと、
を含む請求項1〜9のいずれか一項に記載の方法。
【請求項１１】
前記値Nは前記値Mに等しい、請求項10に記載の方法。
【請求項１２】
光伝送ネットワークにおける送信装置であって、
可変レートコンテナOTU-Nを構築するように構成され、前記OTU-Nのレートは予め設定された基準レートレベルのN倍の高さであり、かつ前記値Nは設定可能な正の整数である、構築モジュールと、
受信したクライアント信号を前記OTU-Nにマッピングするように構成されたマッピングモジュールと、
前記クライアント信号がマッピングされた前記OTU-Nを、列をインターリーブすることによってNの光サブチャネル伝送ユニットOTUsubに分配するように構成され、各OTUsubのレートは前記基準レートレベルである、分配モジュールと、
前記NのOTUsubを1又は2以上の光キャリアに変調するように構成された変調モジュールと、
前記1又は2以上の光キャリアを送信用の同一のファイバ上に送信するように構成された送信モジュールと
を備える送信装置。
【請求項１３】
前記値Nは、前記クライアント信号のトラフィック量と前記基準レートレベルとに基づいて決定される、請求項12に記載の装置。
【請求項１４】
前記OTU-Nのフレーム構造は、列をインターリーブすることによるNのサブフレームから形成されており、かつ各サブフレームのレートは前記基準レートレベルである、請求項12又は13に記載の装置。
【請求項１５】
前記予め設定された基準レートレベルは、ITU-T G.709規格において定義される光チャネル伝送ユニットOTUj(j=1,2,3,4)の1つのレートレベルである、請求項12〜14のいずれか一項に記載の装置。
【請求項１６】
前記予め設定された基準レートレベルは、OTU4のレートレベルである、請求項15に記載の装置。
【請求項１７】
前記予め設定された基準レートレベルは、ITU-T G.694規格において定義される光スペクトルグリッド帯域幅の整数倍である、請求項12〜12のいずれか一項に記載の装置。
【請求項１８】
前記予め設定された基準レートレベルは、前記光スペクトルグリッド帯域幅の2倍である、請求項17に記載の装置。
【請求項１９】
前記光スペクトルグリッド帯域幅は12.5Gであり、かつ前記基準レートレベルは25Gである、請求項18に記載の装置。
【請求項２０】
列をインターリーブすることによって前記OTU-Nを、NのOTUsubに分配することは、
列をインターリーブすることによって前記OTU-NをNのサブチャネルに分配し、かつ前記NのOTUsubを取得するために各サブチャネルに対してFECを実行するとともにFECオーバーヘッド情報を追加すること、
又は、
処理されたOTU-Nを取得するために前記OTU-Nに対してFECを実行するとともにFECオーバーヘッド情報を追加し、かつ列をインターリーブすることによって前記処理されたOTU-Nを前記NのOTUsubに分配すること
を含む、請求項12〜19のいずれか一項に記載の装置。
【請求項２１】
前記NのOTUsubを複数の光キャリアに変調することは、
前記NのOTUsubをMグループに分割することであって、前記複数の光キャリアはMの光サブキャリアを含み、前記値Mは正の整数であり、かつ前記値Nは前記値Mの整数倍に設定されることと、
OTUsubの各グループを1のサブキャリアに変調することと、
を含む請求項12〜20のいずれか一項に記載の装置。
【請求項２２】
前記値Nは前記値Mに等しい、請求項21に記載の装置。
【請求項２３】
光伝送ネットワークにおいてクライアント信号を受信する方法であって、
1又は2以上の光キャリアを同一ファイバから受信するステップと、
前記1又は2以上の光キャリアから、Nの光サブチャネル伝送ユニットOTUsubを復調するステップと、
前記NのOTUsubをアラインするステップであって、各OTUsubのレートは予め設定された基準レートレベルである、ステップと、
前記アラインされたNのOTUsubを、列をインターリーブすることによって1の可変レートコンテナOTU-Nに多重化するステップであって、前記OTU-Nのレートは前記基準レートレベルのN倍の高さであり、かつ前記値Nは設定可能な正の整数である、ステップと、
前記OTU-Nからクライアント信号をディマッピングするステップと
を含む方法。
【請求項２４】
前記値Nは、前記クライアント信号のトラフィック量と前記基準レートレベルとに基づいて決定される、請求項23に記載の方法。
【請求項２５】
前記OTU-Nのフレーム構造は、列をインターリーブすることによるNのサブフレームから形成されており、かつ各サブフレームのレートは前記基準レートレベルである、請求項23又は24に記載の方法。
【請求項２６】
前記予め設定された基準レートレベルは、ITU-T G.709規格において定義される光チャネル伝送ユニットOTUj(j=1,2,3,4)の1つのレートレベルである、請求項23〜25のいずれか一項に記載の方法。
【請求項２７】
前記予め設定された基準レートレベルは、OTU4のレートレベルである、請求項26に記載の方法。
【請求項２８】
前記予め設定された基準レートレベルは、ITU-T G.694規格において定義される光スペクトルグリッド帯域幅の整数倍である、請求項23〜25のいずれか一項に記載の方法。
【請求項２９】
前記予め設定された基準レートレベルは、前記光スペクトルグリッド帯域幅の2倍である、請求項28に記載の方法。
【請求項３０】
前記光スペクトルグリッド帯域幅は12.5Gであり、かつ前記基準レートレベルは25Gである、請求項29に記載の方法。
【請求項３１】
前記OTU-Nからクライアント信号をディマッピングする前記ステップは、
前記OTU-Nにおける各トリビュタリースロットに対応するトリビュタリースロットオーバーヘッドに搬送されたマッピング情報を取得するために前記OTU-Nの光チャネルペイロードユニットOPU-Nオーバーヘッドを解析するステップと、
前記マッピング情報に基づいて前記OTU-Nの各トリビュタリースロットペイロード領域から前記クライアント信号をディマッピングするステップと
を含む、請求項23〜30のいずれか一項に記載の方法。
【請求項３２】
光伝送ネットワークにおける受信装置であって、
1又は2以上の光キャリアを同一ファイバから受信するように構成された受信インタフェースと、
前記受信インタフェースによって受信された前記1又は2以上の光キャリアから、Nの光サブチャネル伝送ユニットOTUsubを復調するように構成された復調モジュールと、
前記復調モジュールによって復調された前記NのOTUsubをアラインするように構成されたアライニングモジュールと、
前記アライニングモジュールによってアラインされた前記NのOTUsubを、列をインターリーブすることによって1の可変レートコンテナOTU-Nに多重化するように構成され、前記OTU-Nのレートは前記基準レートレベルのN倍の高さであり、かつ前記値Nは設定可能な正の整数である、多重化モジュールと、
前記多重化モジュールによって生成された前記OTU-Nからクライアント信号をディマッピングするように構成されたディマッピングモジュールと
を備える受信装置。
【請求項３３】
前記値Nは、前記クライアント信号のトラフィック量と前記基準レートレベルとに基づいて決定される、請求項32に記載の装置。
【請求項３４】
前記OTU-Nのフレーム構造は、列をインターリーブすることによるNのサブフレームから形成されており、かつ各サブフレームのレートは前記基準レートレベルである、請求項32又は33に記載の方法。
【請求項３５】
前記予め設定された基準レートレベルは、ITU-T G.709規格において定義される光チャネル伝送ユニットOTUj(j=1,2,3,4)の1つのレートレベルである、請求項32〜34のいずれか一項に記載の方法。
【請求項３６】
前記予め設定された基準レートレベルは、OTU4のレートレベルである、請求項35に記載の方法。
【請求項３７】
前記予め設定された基準レートレベルは、ITU-T G.694規格において定義される光スペクトルグリッド帯域幅の整数倍である、請求項32〜34のいずれか一項に記載の方法。
【請求項３８】
前記予め設定された基準レートレベルは、前記光スペクトルグリッド帯域幅の2倍である、請求項37に記載の方法。
【請求項３９】
前記光スペクトルグリッド帯域幅は12.5Gであり、かつ前記基準レートレベルは25Gである、請求項38に記載の方法。
【請求項４０】
前記ディマッピングモジュールは、
前記OTU-Nにおける各トリビュタリースロットに対応するトリビュタリースロットオーバーヘッドに搬送されたマッピング情報を取得するために、前記OTU-Nの光チャネルペイロードユニットOPU-Nオーバーヘッドを解析するように構成された解析ユニットと、
前記マッピング情報に基づいて、前記OTU-Nの各トリビュタリースロットペイロード領域から前記クライアント信号をディマッピングするように構成されたディマッピングユニットと
を備える、請求項32〜39のいずれか一項に記載の方法。
【発明の詳細な説明】
【技術分野】
【０００１】
本発明は、光伝送ネットワークの分野に関し、特に光伝送ネットワークにおいてクライアント信号を送信し、かつ受信するための方法及び装置に関する。
【背景技術】
【０００２】
次世代伝送ネットワークのコア技術として、OTN (光伝送ネットワーク, optical transport network)は、電気層及び光学層の技術仕様を含み、多様なOAM(運用、管理及び保守, operation, administration and maintenance)に特徴付けられており、かつ強力なTCM(タンデム接続モニタリング, tandem connection monitoring)及び帯域外FEC(前方誤り訂正, forward error correction)が可能であり、大容量サービスのための柔軟なスケジューリング及び管理が可能である。
【０００３】
電気的処理層において、OTN技術は、様々なクライアントサービスをマップする標準的な封入構造(encapsulation structure)を定義し、かつクライアント信号のための管理及びモニタリングを実施することができる。OTNフレーム構造が、図1に示されており、前記OTNフレームは、4x4080バイトの構造であり、つまり、4行×4080列である。前記OTNフレーム構造は、フレーム区切り領域(frame delimiting area)と、OTUk(Optical Channel Transport Unit, 光チャネル伝送ユニット) OH (Overhead, オーバーヘッド)と、ODUk (Optical Channel Data Unit, 光チャネルデータユニット) OHと、OPUk (Optical Channel Payload Unit, 光チャネル ペイロード unit) OHと、OPUk ペイロード領域 (Payload Area)と、FEC領域とを含み、kの値1, 2, 3, 及び4は、それぞれレートレベル 2.5 G, 10 G, 40 G, 及び100 Gに対応する。フレーム区切り領域は、FAS (Frame Alignment Signal, フレームアラインメント信号)及びMFAS (Multi-frame Alignment Signal, マルチフレームアラインメント信号)を含み、OPUk OHにおける情報は主にクライアントサービスのマッピングと適用管理に使用され、ODUk OHにおける情報は主にOTNフレームのマッピングとモニタリングに使用され、かつOTUk OHにおける情報は主に送信セクションのモニタリングに使用される。OTUkの固定レートは、回線インタフェースレートと呼ばれる。現在、4つの固定レートレベル2.5G,10G,40G,及び100Gの回線インタフェースレートが存在する。OTNは、次の方法でクライアント信号を送信する。その方法は、上層クライアント信号を低レートレベルのOPUjにマッピングし、かつODUjを形成するためにOPUjオーバーヘッド及びODUjオーバーヘッドを追加するステップであって、以下これを下位ODUjと称する、ステップと、下位ODUjを上レートレベルのOPUkにマッピングし、かつ一定レートOTUkを形成するために、OPUkオーバーヘッドと、ODUkオーバーヘッドと、OTUkオーバーヘッドと、FECとを追加するステップであって、OTUkは上位OTUkを称する、ステップと、上位OTUkを送信のためのシングル光キャリアに変調するステップであって、光キャリアのベアラ帯域幅は上位OTUkの固定レートに等しい、ステップとを含む。さらに、ODUflexは、既存のOTNに導入され、かつ下位可変レート光チャネルデータユニットと称され、かつ任意レートの上層サービスを搬送するために使用される。下位ODUflexは、まず上位OPUkにマッピングされる必要があり、かつOPUkオーバーヘッドと、ODUkオーバーヘッドと、OTUkオーバーヘッドと、FECとが一定レート上位OTUkを形成するために追加され、かつ上位OTUkが送信のためにシングル光キャリアに変調される。
【０００４】
上層クライアントIP(Internet Protocol,インターネットプロトコル)サービスの大幅な増加とフレキシブルな変化は、光伝送ネットワークシステムに課題を課している。現在、光スペクトルリソースは、50GHz光スペクトルグリッド帯域幅に基づいて分割され、かつ50GHz光スペクトルグリッド帯域幅は、各光キャリアに割り当てられる。ベアラ帯域幅が4の固定レートレベル2.5G,10G,40G,及び100G内に入る光キャリアについて、前記光キャリアによって占められる光スペクトル幅は、50GHzに達せず、かつ光スペクトルリソースの無駄が存在する。さらに、光スペクトルは、限られたリソースである。光スペクトルリソースを十分に活用し、ネットワークの全体的な送信能力を改善し、上層クライアントIP(Internet Protocol,ネットワーク間の相互接続のためのプロトコル)サービス送信の増加を実現させるために、Flex Grid(フレキシブルグリッド)技術が光層に導入され、一定の50GHz粒度(ITU-T (International Telecommunication Union - Telecommunication Standardization Sector-telecommunication,国際電気通信連合-電気通信標準化部門-電気通信)G.694)からの光スペクトルリソースの光スペクトルグリッド帯域幅分割を、小さい粒度の光スペクトルグリッド帯域幅分割に広げる。現在、最小の光スペクトルグリッド帯域幅粒度はスロット=12.5GHzであり、かつ光キャリアは1又は2以上の連続的な光スペクトルグリッド帯域幅を占めることができる。送信要求を満たすために、OTNネットワークは、送信されるクライアント信号のトラフィック量と、送信距離とに基づいて適切な光スペクトルを割り当ててもよい。
【０００５】
さらに、当業者は、可能な限りスペクトル効率を高めることを期待する。高いスペクトル効率を取得するために、例えばnQAM(n次直交振幅変調, Quadrature Amplitude Modulation)及び直交周波数分割多重 (OFDM, Orthogonal Frequency Division Multiplexing)技術のような上位変調が必要とされる。つまり、一定のスペクトル幅の下で、実際のトラフィック量の要件は、光キャリア変調フォーマットを変更することによって満たされる。
【０００６】
しかしながら、現在、電気層OTN回線インタフェースは固定レートレベルを有し、かつクライアントサービスの実際のトラフィック量に基づいて適切なレートの回線インタフェースを提供することは実用的ではなく、従って、光伝送ネットワーク帯域幅リソースの最適な構成は有効ではない。
【発明の概要】
【課題を解決するための手段】
【０００７】
本発明の態様は、光伝送ネットワークにおいてクライアント信号を送信し、かつ受信するための方法及び装置を提供する。
【０００８】
一態様において、本発明の態様は、光伝送ネットワークにおいてクライアント信号を送信するための方法を提供し、前記方法は、受信したクライアント信号を、可変レートコンテナOTU-Nにマッピングするステップであって、前記OTU-Nのレートは予め設定された基準レートレベルのN倍の高さであり、かつ前記値Nは必要に応じて設定可能な正の整数である、ステップと、前記可変レートコンテナOTU-Nを、列でNの光サブチャネル伝送ユニットOTUsubに分配するステップであって、各OTUsubのレートは前記基準レートレベルに等しい、ステップと、前記Nの光サブチャネル伝送ユニットOTUsubを1又は2以上の光キャリアに変調するステップと、前記1又は2以上の光キャリアを送信用の同一のファイバ上に送信するステップとを含む。
【０００９】
別の態様において、本発明の態様は、光伝送ネットワークにおける送信装置を提供し、前記送信装置は、構築モジュールと、マッピングモジュールと、分配モジュールと、変調モジュールと、送信モジュールとを備える。前記構築モジュールは、可変レートコンテナOTU-Nを構築するように構成され、前記OTU-Nのレートは予め設定された基準レートレベルのN倍の高さであり、かつ前記値Nは必要に応じて設定可能な正の整数である。前記マッピングモジュールは、受信したクライアント信号を前記OTU-Nにマッピングするように構成される。前記分配モジュールは、前記クライアント信号がマッピングされた前記OTU-Nを、列をインターリーブすることによってNの光サブチャネル伝送ユニットOTUsubに分配するように構成され、各OTUsubのレートは前記基準レートレベルである。前記変調モジュールは、前記NのOTUsubを1又は2以上の光キャリアに変調するように構成される。前記送信モジュールは、前記1又は2以上の光キャリアを送信用の同一のファイバ上に送信するように構成される。
【００１０】
別の態様において、本発明の態様は、光伝送ネットワークにおいてクライアント信号を受信する方法を提供し、前記方法は、1又は2以上の光キャリアを同一ファイバから受信するステップと、前記1又は2以上の光キャリアから、Nの光サブチャネル伝送ユニットOTUsubを復調するステップと、前記NのOTUsubをアラインするステップであって、各OTUsubのレートは予め設定された基準レートレベルである、ステップと、前記アラインされたNのOTUsubを、列をインターリーブすることによって1の可変レートコンテナOTU-Nに多重化するステップであって、前記OTU-Nのレートは前記基準レートレベルのN倍の高さであり、かつ前記値Nは必要に応じて設定可能な正の整数である、ステップと、前記OTU-Nからクライアント信号をディマッピングするステップとを含む。
【００１１】
別の態様において、本発明の態様は、光伝送ネットワークにおける受信装置を提供する。前記受信装置は、受信インタフェースと、復調モジュールと、アライニングモジュールと、多重化モジュールと、ディマッピングモジュールとを備える。前記受信インタフェースは、1又は2以上の光キャリアを同一ファイバから受信するように構成される。前記復調モジュールは、前記受信インタフェースによって受信された前記1又は2以上の光キャリアから、Nの光サブチャネル伝送ユニットOTUsubを復調するように構成される。前記アライニングモジュールは、前記復調モジュールによって復調された前記NのOTUsubをアラインするように構成される。前記多重化モジュールは、前記アライニングモジュールによってアラインされた前記NのOTUsubを、列をインターリーブすることによって1の可変レートコンテナOTU-Nに多重化するように構成され、前記OTU-Nのレートは前記基準レートレベルのN倍の高さであり、かつ前記値Nは必要に応じて設定可能な正の整数である。前記ディマッピングモジュールは、前記多重化モジュールによって生成された前記OTU-Nからクライアント信号をディマッピングするように構成される。
【００１２】
別の態様において、本発明の態様は、光伝送ネットワークにおける送信装置を提供する。前記装置は、少なくとも1のプロセッサを備える。前記少なくとも1のプロセッサは、受信したクライアント信号を、可変レートコンテナOTU-Nにマッピングするように構成され、前記OTU-Nのレートは予め設定された基準レートレベルのN倍の高さであり、かつ前記値Nは必要に応じて設定可能な正の整数である。前記少なくとも1のプロセッサはさらに、前記可変レートコンテナOTU-Nを、列でNの光サブチャネル伝送ユニットOTUsubに分配するように構成され、各OTUsubのレートは前記基準レートレベルに等しい。前記少なくとも1のプロセッサはさらに、前記Nの光サブチャネル伝送ユニットOTUsubを1又は2以上の光キャリアに変調するように構成される。前記少なくとも1のプロセッサはさらに、前記1又は2以上の光キャリアを送信用の同一のファイバ上に送信するように構成される。
【００１３】
別の態様において、本発明の態様は、光伝送ネットワークにおける受信装置を提供し、前記装置は、復調器及び少なくとも1のプロセッサを備える。前記復調器は、受信された光キャリアからNの光サブチャネル伝送ユニットOTUsubを復調するように構成される。前記少なくとも1のプロセッサは、同一ファイバから1又は2以上の光キャリアを受信するように構成される。前記少なくとも1のプロセッサはさらに、前記1又は2以上の光キャリアから前記Nの光サブチャネル伝送ユニットOTUsubを復調するように構成される。前記少なくとも1のプロセッサはさらに、前記NのOTUsubをアラインするように構成され、各OTUsubのレートは予め設定された基準レートレベルである。前記少なくとも1のプロセッサはさらに、前記アラインされたNのOTUsubを、列をインターリーブすることによって1の可変レートコンテナOTU-Nに多重化するように構成され、前記OTU-Nのレートは前記基準レートレベルのN倍の高さであり、かつ前記値Nは必要に応じて設定可能な正の整数である。前記少なくとも1のプロセッサはさらに、前記OTU-Nからクライアント信号をディマッピングするように構成される。
【００１４】
実施態様において、クライアント信号は可変レートコンテナOTU-Nにマッピングされ、かつ前記OTU-Nは同一ファイバを使用して送信され、その結果、光学層のスペクトル帯域幅の変化に適応可能となり、かつ光伝送ネットワーク帯域幅リソースの最適な構成を実現する。
【図面の簡単な説明】
【００１５】
本発明の実施形態における技術的解決策をより明瞭に説明するために、以下に実施形態を説明するために必要な添付図面を簡単に紹介する。当然ながら、以下の説明における添付図面は、本発明の単なるいくつかの実施形態を示しているに過ぎず、当業者は創造的な努力なしにこれらの添付図面からさらに他の図面を導き出すことができる。
【００１６】
【図１】従来技術において提供されるOTNフレームの構造図である。
【図２】本発明の実施形態において列をインターリーブすることによってOTNフレームから生成された可変レートコンテナOTU-Nのフレーム構造の概略図である。
【図３】本発明の実施形態における可変レートコンテナOTU-Nの概略的構造図である。
【図４】本発明の実施形態における可変レートコンテナOTU-Nの概略的構造図である。
【図５】本発明の実施形態における可変レートコンテナOTU-Nの概略的構造図である。
【図６】本発明の実施形態における可変レートコンテナOTU-Nの光チャネルペイロードユニットOPU-Nをトリビュタリースロットに分割する概略図である。
【図７】本発明の実施形態におけるOTNにおいてクライアント信号を送信するための方法のフローチャートである。
【図８】本発明の実施形態における2つの下位ODUtを可変レートコンテナOTU-Nにマッピングする概略図である。
【図９】本発明の実施形態における列をインターリーブすることによって可変レートコンテナOTU-Nを、複数の光サブチャネル伝送ユニットOTUsubに分配する概略図である。
【図１０】本発明の実施形態における列をインターリーブすることによって可変レートコンテナOTU-3のフレームヘッダーを分配する概略図である。
【図１１】本発明の実施形態の光伝送ネットワークにおいてクライアント信号を受信するための方法のフローチャートである。
【図１２】本発明の実施形態の光伝送ネットワークにおける送信装置の概略図である。
【図１３】本発明の実施形態の光伝送ネットワークにおける受信装置の概略図である。
【図１４】本発明の実施形態の光伝送ネットワークにおける別の受信装置の概略図である。
【図１５】本発明の実施形態の光伝送ネットワークにおける送信装置のブロック図である。
【図１６】本発明の実施形態の光伝送ネットワークにおける受信装置のブロック図である。
【発明を実施するための形態】
【００１７】
本発明の目的、技術的解決策、及び利点をより明瞭にするために、以下に添付図面を参照しながら、本発明の実施方式を詳細にさらに説明する。
【００１８】
本発明の実施形態は、OTN電気層においてOTU-N(Optical channel Transport Unit-N, 光チャネル伝送ユニット-N)と呼ばれる可変レートコンテナ構造を構築する。前記値Nは設定可能な正の整数であり、かつOTU-Nのレートは、粒度(粒度)として予め設定された基準レートレベルを使用して設定可能である。例えば、OTU-Nのレートは、基準レートレベルのN倍の高さである。前記OTU-Nのレートは、クライアント信号のトラフィック量に基づいてフレキシブルに設定されてもよい。前記クライアント信号のトラフィック量は、OTNデバイスによって検出されてもよく、又は管理プレーンによって構成されてもよい。
【００１９】
前記値Nは、送信要求に基づいてフレキシブルに構成されてもよい。好適には、前記値Nは、クライアント信号のトラフィック量と、基準レートレベルとに基づいて決定される。例えば、値Nは、クライアント信号のトラフィック量を基準レートレベルによって割った切り上げられた結果に等しい。AをBで割った商を切り上げるということは、もしAがBで割り切れる場合、AをBで割って切り上げられた商は、AをBで割った商に等しいことを意味し、かつ、もしAがBで割り切れない場合、AをBで割って切り上げられた商は、AをBで割った商を四捨五入することによって取得される値に1を加えた値に等しいことを意味する。例えば、クライアント信号のトラフィック量が200Gであり、かつ基準レートレベルが25Gに設定される場合、前記値Nは、200Gを25Gで割った商の8であり、つまりN=8である。さらに、前記クライアント信号のトラフィック量が180Gであり、かつ前記基準レートレベルが25Gに設定される場合、前記値Nは、180Gを25Gで割った商7.2を四捨五入することによって取得された値7に1を追加した値に等しく、つまりN=8である。
【００２０】
基準レートレベルの予め設定される固定値は、以下のタイプを含むが以下のタイプに限定されない。
【００２１】
1.前記基準レートレベルは、ITU-T G.709規格において定義されるOTU1、OTU2、OTU3、又はOTU4のレートであってもよく、つまり、基準レートレベルは、2.5G,10G,40G,及び100Gの中から選択され、かつ好適には100G、すなわちOTU4のレートである。
【００２２】
2.前記基準レートレベルは、ITU-T G.694において定義される光スペクトルグリッド帯域幅の整数倍であってもよい。例えば、前記光スペクトルグリッド帯域幅が12.5GHzである場合、基準レートレベルは、12.5G,25G,50G,及び100Gの中から選択され、かつ好適には、25Gである。
【００２３】
前記クライアント信号は、
クライアントデータと、CBR(Constant Bit Rate, 固定ビットレート)サービスと、パケット(packet)サービスと、
ITU-T G.709規格において定義されるODU0,ODU1,ODU2,ODU2e,ODU3,ODU4,及びODUflexを含む下位ODUtサービスとを含む。
【００２４】
前記OTU-Nのフレーム構造は、前記Nによって変化し、かつ列をインターリーブすることによるNのサブフレームから形成され、かつ各サブフレームのレートは、基準レートレベルである。もし、サブフレームがオーバーヘッドのM1列と、ペイロードのM2列と、FECのM3列とを含むM列である場合、前記OTU-Nは、オーバーヘッドのM1*N列と、ペイロードのM2*N列と、FECのM3*N列とを含むM*N列を有する。
【００２５】
好適には、図2〜図5に示されるように、前記OTU-Nのフレーム構造は、列をインターリーブすることによって、OTNフレームのNの部分から形成され、かつ4行及び4080*N列を含み、1番目の列から14N番目の列は、OTU-Nフレーム区切り領域と、OTU-Nオーバーヘッド領域と、ODU-Nオーバーヘッド領域とを含む、(14N+1)番目の列から16N番目の列はOPU-Nオーバーヘッド領域であり、(16N+1)番目の列から3824N番目の列はOPU-Nペイロード領域であり、(3824N+1)番目の列から4080N番目の列は、FEC(前方誤り訂正,forward error correction)オーバーヘッド領域である。
【００２６】
好適には、図3に示されるように、1つのOTNフレームの全てのオーバーヘッド情報が、OTU-Nのオーバーヘッド情報として機能し、かつ、残りの(N-1)OTNフレームについて、それらのFAS(Frame Alignment Signal, フレームアラインメント信号)及びMFAS(Multi-frame Alignment Signal, マルチフレームアラインメント信号)のみが、前記OTU-Nの第1行かつ1番目から7N番目の列のオーバーヘッド領域に置かれる。
【００２７】
OTU-Nに対応する光チャネルデータユニットはODU-Nと呼ばれ、かつOTU-Nに対応する光チャネルペイロードユニットはOPU-Nと呼ばれる。以下の2つの方式が、OPU-NをTS(Tributary Slot, トリビュタリースロット)に分割するために利用可能である。
【００２８】
方式1:図6に示されるように、前記OPU-Nは列によってNのトリビュタリースロットに分割され、各トリビュタリースロットのレートは基準レートレベルであり、かつこの明細書を通して言及されている値Nは同一の値であり、(14N+1)番目の列から16N番目のはトリビュタリースロットオーバーヘッド領域(Tributary Slot overhead, TSOH)であり、かつ(16N+1)番目の列から3824N番目の列はOPU-Nペイロード領域である。
【００２９】
方式2:OTU4を1.25Gの80のトリビュタリースロットに分割するITU-T G.709規格に記載されている手法と同様に、前記OTU-Nは、バイトをインターリーブすることによって、かつ粒度として1.25Gレートレベルを使用して、トリビュタリースロットに分割される。例えば、400GレートレベルのOTU4-4(OTU4-4は、列をインターリーブすることによって、4つのOTU4から形成されるOTU-Nである)は、1.25Gの320のトリビュタリースロットに分割されてもよい。ITU-T G.709規格において、OTU4を分割する手法は、80のマルチフレームのインターバルでバイトをインターリーブすることによって、OPU4ペイロード領域を1.25Gの80のトリビュタリースロットに分割してもよい。本発明の実施形態において、OTU4-4を分割する手法は、80のマルチフレームのインターバルでバイトをインターリーブすることによって、OPU4-4ペイロード領域を1.25Gの320のトリビュタリースロットに分割してもよい。
【００３０】
図7を参照すると、実施形態は、光伝送ネットワークにおいてクライアント信号を送信する方法を提供する。前記方法は、以下のステップを含む。
【００３１】
ステップ101:受信したクライアント信号をOTU-Nにマッピングする。
【００３２】
クライアントデータに対して、前記クライアントデータは、GMP(Generic Mapping Procedure, ジェネリックマッピング手順)又はGFP(Generic Framing Procedure, ジェネリックフレーミング手順)マッピング手法を使用することによってOPU-Nのトリビュタリースロットにマッピングされ、次いでOPU-Nオーバーヘッドが追加され、ODU-Nを形成するためにODU-NオーバーヘッドがOPU-Nに追加され、OTU-Nを形成するためにOTU-Nオーバーヘッド及びFEC(Forward Error Correction, 前方誤り訂正)情報がODU-Nに追加される。
【００３３】
下位ODUtサービスに対して、1の下位ODUtサービスが、GMP手法を使用することによって、OPU-NのODTU-N.ts(Optical channel Data Tributary Unit-N, 光チャネルトリビュタリーユニット)にマッピングされる。ここでtsは、下位ODUtによって占められるOPU-Nトリビュタリースロットの数であり、ODTU-N.tsは、OPU-Nのtsのトリビュタリースロットに多重化され、ODU-Nオーバーヘッドは、ODU-Nを形成するためにOPU-Nに追加され、かつOTU-Nオーバーヘッド及びFECは、OTU-Nを形成するためにODU-Nに追加される。
【００３４】
好適には、各下位ODUtをマッピングするために使用されるバイトの粒度は、下位ODUtによって占められるOPU-Nトリビュタリースロットの数と同一である。この実施形態におけるマッピング方法を当業者がより理解し易くするために、図8を参照しながら以下に実施例を与える。OTU-3は下位2つのODUtsを搬送するとし、ここで、2つの下位ODUtsは、第1の下位ODUt及び第2の下位ODUtである。前記第1の下位ODUtは、例えばTS1のようなOPU-3の1つのトリビュタリースロットを占め、かつ前記第2の下位ODUtは、例えばTS2及びTS3のようなOPU-3の2つのトリビュタリースロットを占める。OPU-3の光チャネルデータトリビュタリーユニットは、ODTU-3.tsと呼ばれる。ここで、該ODTU-3.tsは、TSOH(tributary slot overhead,トリビュタリースロットオーバーヘッド)及びTSペイロードを含み、かつtsは、ODTU-3.tsによって占められるOPU-3トリビュタリースロットの数である。
【００３５】
図8に示されるように、2つの下位ODUtsがマッピングされ、かつOTU-3に多重化される具体的な処理は以下のようである。
【００３６】
(1)第1の下位ODUtが、GMPに基づいて1バイトの粒度でODTU-3.1にマッピングされる。ここで、ODTU-3.1は、OPU-3の1つのトリビュタリースロットTS1を占め、かつマッピング情報が、前記トリビュタリースロットTS1に対応するトリビュタリースロットオーバーヘッドTSOH1に追加される。
【００３７】
(2)第2の下位ODUtが、GMPを介して2バイトの粒度でODTU-3.2にマッピングされる。ここで、ODTU-3.2は、OPU-3の2つのトリビュタリースロットTS1及びTS2を占め、かつマッピング情報が、2つのトリビュタリースロットのいずれかに対応するTSOHに追加され、例えば、トリビュタリースロットTS2に対応するトリビュタリースロットオーバーヘッドTSOH2に追加される。
【００３８】
(3)ODTU-3.1及びODTU-3.2が、1つのOPU-3に多重化され、ODU-3を生成するためにODU-3オーバーヘッドがOPU-3に追加され、かつ前記OTU-3を生成するためにOTU-NオーバーヘッドがODU-3に追加される。この実施形態では、オーバーヘッド管理複雑性を減少させるために複数のODTU-N.tssが1つのOPU-Nに多重化される。
【００３９】
この実施形態は、ITU-T G.709規格におけるPT(Payload Type, ペイロードタイプ)の定義方法を引き継ぐ。前記ODU-Nがハイブリッド方法で複数の下位サービスを搬送することを示すために、例えばPT=0x22のような新たなPTがこの実施形態に追加されてもよいことは注目すべきである。
【００４０】
この実施形態は、ITU-T G.709規格におけるMSI(Multiplex Structure Identifier, multiplex structure identifier)の定義方法を引き継いでもよい。複数のODUtにマッピングされたODU-Nが取得された後、ODU-Nにおける各トリビュタリースロットがすでに下位ODUtサービスによって占められているか否かを示すためにODU-NのMSIが修正される。当然ながら、PT及びMSIの定義は、前述の方法に限定されず、かつこの実施形態では特に限定しない。
【００４１】
ステップ102:図9に示されるように、OTU-Nは、列をインターリーブすることによって、NのOTUsub(Optical sub-channel Transport Unit,光サブチャネル伝送ユニット)に分配され、各OTUsubのレートは、基準レートレベルである。
【００４２】
以下の2つの方式は、前記OTU-Nを、列をインターリーブすることによってNのOTUsubに分配するために利用可能である。
【００４３】
方式1:OTU-Nを、列をインターリーブすることによってNのサブチャネルに分配し、かる前記NのOTUsubを取得するために各サブチャネルに対してFECを実行するとともにFECオーバーヘッド情報を追加する。好適には、1つのサブチャネルは、OTU-Nオーバーヘッドと、ODU-Nオーバーヘッドと、FASと、MFASとを含み、かつ他のN-1サブチャネルは、FASとMFASとを含み、各サブチャネルのレートは、基準レートレベルに等しい。FECは、各サブチャネルにおいて実行され、FECの困難性を減少させることができる。
【００４４】
方式2:処理されたOTU-Nを取得するために、OTU-Nに対してFECを実行するとともにFECオーバーヘッド情報を追加し、かつ前記処理されたOTU-Nを、列をインターリーブすることによって前記NのOTUsubに分配する。好適には、1つのOTUsubは、OTU-Nオーバーヘッドと、ODU-Nオーバーヘッドと、FASと、MFASとを含み、かつ他のN-1OTUsubはFAS及びMFASを含み、各OTUsubのレートは基準レートレベルに等しい。
【００４５】
この実施形態では、各OTUsubの識別を容易にするために、前記OTUsubは、LLM(Logical Lane Marker,論理レーンマーカー)を搬送してもよい。前記レーンマーカーは、前記FASの6番目のバイトを占め、かつLLMiによって示される。ここで、LLMiは、各OTUsubのレーンマーカーであり、かつその値は、0〜255の範囲である。LLMiの0〜255は、それぞれ0番目から255番目のOTUsubを示す。もし、OTUsubの数が256よりも大きい場合、拡張された定義(extended definition)が、他のオーバーヘッドの予約領域において実行されてもよい。実施例として3つのOTUsubを使用して、OTUsubのフレームヘッダーが図10に示され、0番目から2番目のOTUsubに搬送される論理レーンマーカーLLM1,LLM2,及びLLM3の値は、それぞれ0,1,及び2であり、かつフレームヘッダーオーバーヘッドの6番目のバイトを占める。ここで、OA1及びOA2は、OTUsubフレームヘッダーの他のオーバーヘッドを表すが、この実施形態では特に限定しない。7番目のバイトはMFASバイトであり、この実施形態では繰り返さない。
【００４６】
ステップ103:前記NのOTUsubを1又は2以上の光キャリアに変調する。
【００４７】
(1)シングルキャリアに関して,前記NのOTUsubがシングル光キャリアに変調される。
【００４８】
例えば、クライアント信号のトラフィック量が400Gであり、かつOTU-Nの基準レートレベルが100Gに設定されるとすると、値Nは4に等しく、かつシングルキャリアのベアラ帯域幅は400Gに設定される。
【００４９】
前記シングルキャリアによって占められる光スペクトルグリッド帯域幅の数と、適用される変調フォーマット(変調オーダーがk)は、限定されない。例えば、もし、シングルキャリアが4つの12.5Gの光スペクトルグリッド帯域幅を占める場合、次いでPM-16QAM(Polarization Multiplexing - 16 Quadrature Amplitude Modulation, 16番目-オーダー直交振幅変調)変調フォーマット(変調オーダーが16)が使用される。式2*4*12.5Gbit/s*log216を使用することによって計算され、シングルキャリアの帯域幅は最大で400G帯域幅であってもよく、これはクライアント信号を送信する要件を満たす。
【００５０】
もし、シングルキャリアが8つの12.5Gの光スペクトルグリッド帯域幅を占める場合、次いで16QAM(16 Quadrature Amplitude Modulation, 16番目-オーダー直交振幅変調)変調フォーマット(変調オーダーが16)が使用される。式8*12.5Gbit/s*log216を使用することによって計算され、シングルキャリアの帯域幅は最大で400Gであってもよく、これはクライアント信号を送信する要件を満たす。
【００５１】
(2)複数の光サブキャリアに関して、前記NのOTUsubがMのサブキャリアに変調されるとき、前記NのOTUsubは、Mのグループに分割される。ここで、前記値Mは正の整数であり、かつOTUsubの各グループはサブキャリアに変調される。前記値Nは、前記値Mの整数倍として構成される。例えば、前記値Mは、1のサブキャリアのベアラ帯域幅によってクライアント信号トラフィック量を割った切り上げられた商に設定されてもよい。好適には、NはMに等しい。好適には、前記Mのサブキャリアは直交周波数分割多重方式を採用してもよい。
【００５２】
例えば、クライアント信号のトラフィック量が400Gであり、かつOTU-Nの基準レートレベルが25Gに設定されるとすると、値Nは16に等しい。つまり、OTU-16は、16のOTUsubに分配され、かつクライアント信号を送信する要件を満たすためにMのサブキャリアのベアラ帯域幅は400Gに設定される。
【００５３】
もし、各サブキャリアのベアラ帯域幅が50Gである場合、前記値Mは8に設定される。つまり、16のOTUsubが送信のために8のサブキャリアに変調される。この場合、全2のOTUsubは、1のサブキャリアに変調される。
【００５４】
各サブキャリアによって占められる光スペクトルグリッド帯域幅の数と、使用される変調フォーマット(変調オーダーはkである)は限定されない。例えば、もし各サブキャリアが4つの12.5Gの光スペクトルグリッド帯域幅を占める場合、次いでBPSK(Binary Phase Shift Keying, バイナリ位相シフトキーイング)変調フォーマット(変調オーダーは2である)が使用される。式4*12.5Gbit/s*log22を使用して計算され、各サブキャリアの帯域幅は最大で50Gであってもよい。
【００５５】
もし各サブキャリアが1つの12.5Gの光スペクトルグリッド帯域幅を占める場合、次いでPM-QPSK(Polarization Multiplexing - QPSK, 偏波多重化直交位相シフトキーイング)変調フォーマット(変調オーダーは4である)が使用される。式2*12.5Gbit/s*log24を使用して計算され、各サブキャリアの帯域幅は最大で50Gであってもよい。
【００５６】
ステップ104:前記1又は2以上の光キャリアを送信用の同一のファイバ上に送信する。
【００５７】
この実施形態では、クライアント信号は可変レートコンテナOTU-Nにマッピングされ、かつ前記OTU-Nは同一ファイバを使用することにより送信され、その結果、光学層のスペクトル帯域幅の変化に適応可能となり、かつ光伝送ネットワーク帯域幅リソースの最適な構成を実現する。
【００５８】
図11を参照すると、OTNにおいてクライアント信号を送信するための前述の方法に対応して、実施形態は、光伝送ネットワークにおいてクライアント信号を受信するための方法を提供する。その方法は以下を含む。
【００５９】
ステップ501:同一ファイバから1又は2以上の光キャリアを受信する。
【００６０】
ステップ502:前記1又は2以上の光キャリアから前記NのOTUsub(optical sub-channel transport unit, 光サブチャネル伝送ユニット)を復調する。
【００６１】
ステップ503:前記NのOTUsubをアラインする。各OTUsubのレートは予め設定された基準レートレベルである。
【００６２】
前記NのOTUsubをアラインすることは、各OTUsubのFAS(Frame Alignment Signal, フレームアラインメント信号)に基づいて前記NのOTUsubにフレーム区切りを実行することと、フレーム区切りをされた前記NのOTUsubのフレームヘッダーをアラインすることを含む。
【００６３】
この実施形態では、任意に、アライニングにおいて、前記NのOTUsubはフレームヘッダーに基づいてアラインされてもよく、かつ前記NのOTUsubは、各OTUsubに搬送されたMFASを使用してさらにアラインされてもよい。つまり、前記NのOTUsubがアラインされた後、フレームヘッダーがアラインされたままであるだけでなく、各OTUsubに搬送されたMFAS(Multiframe Alignment Signal, マルチフレームアラインメント信号)もまた一致を保つ必要がある。具体的な実施プロセスにおいて適用されるアラインメント方式は、この実施形態に限定されない。
【００６４】
ステップ504:前記アラインされたNのOTUsubを、列をインターリーブすることによって1つのOTU-Nに多重化する。前記OTU-Nのレートは、前記基準レートレベルのN倍の高さであり、かつ前記値Nは必要に応じて設定可能である正の整数である。
【００６５】
任意で、以下の2つの方式が、前記アラインされたNのOTUsubを、列をインターリーブすることによって1つのOTU-Nに多重化するために利用可能である。
【００６６】
方式1:前記アラインされたNのOTUsubに対してFEC復号化を実行し、かつ次いで前記FEC復号化をされた前記NのOTUsubを、列をインターリーブすることによって1つのOTU-Nに多重化する。
【００６７】
方式2:前記アラインされたNのOTUsubを、列をインターリーブすることによって1つのOTU-Nに多重化し、かつ前記OTU-NにFEC復号化を実行する。
【００６８】
ステップ505:クライアント信号をOTU-Nからディマッピングする。
【００６９】
前記OTU-Nからクライアント信号をディマッピングすることは、OTU-Nにおける各トリビュタリースロットに対応するトリビュタリースロットオーバーヘッドに搬送されたマッピング情報を取得するために、OTU-NのOPU-N(optical channel payload unit,光チャネルペイロードユニット)オーバーヘッドを解析することと、前記マッピング情報に基づいてOTU-Nの各トリビュタリースロットペイロード領域からクライアント信号をディマッピングすることを含む。
【００７０】
図12を参照すると、実施形態は、光伝送ネットワークにおける送信装置を提供する。前記送信装置60は、構築モジュール601と、マッピングモジュール603と、分配モジュール605と、変調モジュール607と、送信モジュール609とを備える。
【００７１】
前記構築モジュール601は、OTU-Nと呼ばれる可変レートコンテナ構造を構築するように構成される。OTU-Nのレートは、予め設定された基準レートレベルのN倍の高さに等しく、前記値Nは設定可能な正の整数であり、前記値Nは送信要求に従ってフレキシブルに設定可能であり、好適には、前記値Nはクライアント信号のトラフィック量と基準レートレベルとに基づいて決定される。
【００７２】
前記マッピングモジュール603は、受信したクライアント信号を、構築モジュール601によって構築されたOTU-Nにマッピングするように構成される。
【００７３】
クライアントデータに関して、前記クライアントデータは、前記マッピングモジュール603によって、GMP(Generic Mapping Procedure, ジェネリックマッピング手順)又はGFP(Generic Framing Procedure, ジェネリックフレーミング手順)マッピング方式を使用して、OPU-Nのトリビュタリースロットにマッピングされ、次いでOPU-Nオーバーヘッドが追加され、ODU-Nを形成するためにODU-NオーバーヘッドがOPU-Nに追加され、かつOTU-Nを形成するために、OTU-Nオーバーヘッド及びFEC(Forward Error Correction, 前方誤り訂正)情報がODU-Nに追加される。
【００７４】
下位ODUtサービスに関して、1つの下位ODUtサービスが、マッピングモジュール603によって、GMPマッピング方式を使用して、OPU-NのODTU-N.ts(Optical channel Data Tributary Unit-N,光チャネルトリビュタリーユニット)にマッピングされる。ここで、tsは、下位ODUtによって占められるOPU-Nトリビュタリースロットの数であり、ODTU-N.tsは、OPU-Nのtsのトリビュタリースロットに多重化され、ODU-Nを形成するために、ODU-NオーバーヘッドがOPU-Nに追加され、かつOTU-Nを形成するためにOTU-Nオーバーヘッド及びFECがODU-Nに追加される。好適には、各下位ODUtをマッピングするために前記マッピングモジュール603によって使用されるバイトの粒度は、前記下位ODUtによって占められるOPU-Nトリビュタリースロットの数と同一である。
【００７５】
図9に示されるように、前記分配モジュール605は、OTU-Nを分配するように構成される。ここで、クライアント信号は、マッピングモジュール603によって、列をインターリーブすることによってNのOTUsub(Optical sub-channel Transport Unit,光サブチャネル伝送ユニット)にマッピングされる。ここで、各OTUsubのレートは、基準レートレベルである。
【００７６】
以下の2つの方式は、OTU-Nを、列をインターリーブすることによってNのOTUsubに分配するために、分配モジュール605で利用可能である。
【００７７】
方式1:前記OTU-Nを、列をインターリーブすることによってNのサブチャネルに分配し、かつ前記NのOTUsubを取得するために各サブチャネルにFECを実行するとともにFECオーバーヘッド情報を追加する。好適には、サブチャネルの1つは、OTU-Nオーバーヘッドと、ODU-Nオーバーヘッドと、FASと、MFASとを含み、他のN-1サブチャネルはFAS及びMFASを含む。ここで各サブチャネルのレートは基準レートレベルに等しい。FECは、各サブチャネルで実行され、FECの困難性を減少させることができる。
【００７８】
方式2:処理されたOTU-Nを取得するためにOTU-NにFECを実行するとともにFECオーバーヘッド情報を追加し、かつ前記処理されたOTU-Nを、列をインターリーブすることによって前記NのOTUsubに分配する。好適には、OTUsubの1つは、OTU-Nオーバーヘッドと、ODU-Nオーバーヘッドと、FASと、MFASとを含み、かつ他のN-1OTUsubはFAS及びMFASを含む。ここで各OTUsubのレートは基準レートレベルに等しい。
【００７９】
前記変調モジュール607は、前記分配モジュール605によって分配された結果である前記NのOTUsubを1又は2以上の光キャリアに変調するように構成される。
【００８０】
(1)シングルキャリアに関し、前記変調モジュール607は、前記NのOTUsubをシングル光キャリアに変調する。
【００８１】
(2)複数の光サブキャリアに関して、例えば、前記変調モジュール607が前記NのOTUsubをMのサブキャリアに変調するとき、前記NのOTUsubは、Mのグループに分割される。ここで、前記値Mは正の整数であり、かつOTUsubの各グループはサブキャリアに変調される。前記値Nは、前記値Mの整数倍に設定される。好適には、NはMに等しい。好適には、Mのサブキャリアは、直交周波数分割多重方式を採用してもよい。
【００８２】
前記送信モジュール609は、前記変調モジュール607によって変調された前記1又は2以上の光キャリアを送信用の同一のファイバ上に送信するように構成される。
【００８３】
送信及び受信装置の実施形態に備えられる各モジュールは、単に機能的なロジックに基づいてソートされているだけであり、対応する機能が実施されるのであれば、そのソートに限定されないことは、注目に値する。さらに、各機能モジュールの具体的な名前は、本発明の保護範囲を限定することを意図しておらず、お互いを区別することを意図しているだけである。
【００８４】
図13を参照すると、実施形態は、光伝送ネットワークにおける受信装置を提供している。受信装置70は、受信インタフェース701と、復調モジュール703と、アライニングモジュール705と、多重化モジュール707と、ディマッピングモジュール709とを備える。
【００８５】
前記受信インタフェース701は、同一ファイバから1又は2以上の光キャリアを受信するように構成される。
【００８６】
前記復調モジュール703は、受信インタフェース701によって受信された前記1又は2以上の光キャリアから前記NのOTUsub(optical sub-channel transport unit,光サブチャネル伝送ユニット)を復調するように構成される。
【００８７】
前記アライニングモジュール705は、前記復調モジュール703によって復調された前記NのOTUsubをアラインするように構成される。
【００８８】
図14に示されるように、前記アライニングモジュール705は、フレーム区切りユニット705a及びアライニングユニット705bを備える。前記フレーム区切りユニット705aは、各OTUsubのフレームアラインメント信号(FAS)に基づいて前記NのOTUsubにフレーム区切りを実行するように構成され、かつ前記アライニングモジュール705bは、フレーム区切りをされた前記NのOTUsubのフレームヘッダーをアラインするように構成される。
【００８９】
前記多重化モジュール707は、前記アライニングモジュール705によってアラインされた前記NのOTUsubを、列をインターリーブすることによって、1つの可変レートコンテナOTU-Nに多重化するように構成される。ここで、前記OTU-Nのレートは、基準レートレベルのN倍の高さであり、かつ前記値Nは必要に応じて設定可能である正の整数である。
【００９０】
図14を参照すると、前記多重化モジュール707は、復号化ユニット707a及び多重化ユニット707bを備える。任意で、前記復号化ユニット707aは、前記アラインされたNのOTUsubに対してFECを実行するように構成され、かつ前記多重化ユニット703bは、前記FEC復号化をされた前記NのOTUsubを、列をインターリーブすることによって1つのOTU-Nに多重化するように構成される。
【００９１】
別の実施形態では、多重化ユニット703bは、前記アラインされたNのOTUsubを、列をインターリーブすることによって1つのOTU-Nに多重化するように構成され、かつ前記復号化ユニット703aは、OTU-NにFEC復号化を実行するように構成される。
【００９２】
前記ディマッピングモジュール709は、前記多重化モジュール707によって生成されたOTU-Nからクライアント信号をディマッピングするように構成される。
【００９３】
図14を参照すると、ディマッピングモジュール709は、解析ユニット709a及びディマッピングユニット709bを備える。前記解析モジュール709aは、OTU-Nにおける各トリビュタリースロットに対応するトリビュタリースロットオーバーヘッドに搬送されたマッピング情報を取得するために、OTU-NのOPU-N(optical channel payload unit,光チャネルペイロードユニット)オーバーヘッドを解析するように構成され、かつディマッピングユニット709bは、前記マッピング情報に基づいてOTU-Nの各トリビュタリースロットペイロード領域からクライアント信号をディマッピングするように構成される。
【００９４】
実施形態において提供される前記送信及び受信装置は、それぞれクライアント信号を送信しかつ受信する方法の実施形態と同一のコンセプトに基づいてもよい。それらの具体的な実施プロセスに関しては、方法の実施形態を参照されたく、ここでは省略する。
【００９５】
送信及び受信装置の実施形態に備えられる各モジュールは、単に機能的なロジックに基づいてソートされているだけであり、対応する機能が実施されるのであれば、そのソートに限定されないことは、注目に値する。さらに、各機能モジュールの具体的な名前は、本発明の保護範囲を限定することを意図しておらず、お互いを区別することを意図しているだけである。
【００９６】
図15を参照すると、図15は光伝送ネットワークにおける送信装置の実施形態のブロック図である。前記送信装置90は、少なくとも1のプロセッサ904を備え、前記少なくとも1のプロセッサ904はメモリー902に接続されてもよく、かつ前記メモリー902は受信したクライアント信号をバッファするように構成される。
【００９７】
前記少なくとも1のプロセッサ904は、以下の動作を実行するように構成される。その動作は、OTU-Nと呼ばれる可変レートコンテナ構造を構築することであって、前記OTU-Nのレートは予め設定された基準レートレベルのN倍の高さであり、かつ前記値Nは設定可能な正の整数である、ことと、受信したクライアント信号をOTU-Nにマッピングすることと、前記OTU-Nを、列をインターリーブすることによってNのOTUsub(Optical sub-channel Transport Unit,光サブチャネル伝送ユニット)に分配することであって、各OTUsubのレートは前記基準レートレベルである、ことと、前記NのOTUsubを1又は2以上の光キャリアに変調することと、前記1又は2以上の光キャリアを送信用の同一のファイバ上に送信することである。
【００９８】
前記値Nは送信要求に従ってフレキシブルに設定可能であり、かつ好適には、前記値Nは、クライアント信号のトラフィック量と基準レートレベルとに基づいて決定される。
【００９９】
クライアントデータに関して、前記クライアントデータは、少なくとも1のプロセッサ904によって、GMP(Generic Mapping Procedure,ジェネリックマッピング手順)又はGFP(Generic Framing Procedure, ジェネリックフレーミング手順)マッピング方式を使用して、OPU-Nのトリビュタリースロットにマッピングされ、次いでOPU-Nオーバーヘッドが追加され、ODU-Nを形成するためにODU-NオーバーヘッドがOPU-Nに追加され、かつOTU-Nを形成するためにOTU-Nオーバーヘッド及びFEC(Forward Error Correction,前方誤り訂正)情報がODU-Nに追加される。
【０１００】
下位ODUtサービスに関して、1つの下位ODUtサービスは、少なくとも1のプロセッサ904によって、GMP方式を使用して、OPU-NのODTU-N.ts(Optical channel Data Tributary Unit-N, 光チャネルトリビュタリーユニット)にマッピングされる。ここでtsは、前記下位ODUtによって占められるOPU-Nトリビュタリースロットの数であり、ODTU-N.tsは、OPU-Nのtsのトリビュタリースロットに多重化され、ODU-Nを形成するために、ODU-NオーバーヘッドがOPU-Nに追加され、かつOTU-Nを形成するためにOTU-Nオーバーヘッド及びFECがODU-Nに追加される。好適には、各下位ODUtをマッピングするために少なくとも1のプロセッサ904によって使用されるバイトの粒度は、下位ODUtによって占められるOPU-Nトリビュタリースロットの数と同一である。
【０１０１】
列をインターリーブすることによって、OTU-NをNのOTUsubに分配するために、以下の2つの方式が少なくとも1のプロセッサ904に使用可能である。
【０１０２】
方式1:OTU-Nを、列をインターリーブすることによってNのサブチャネルに分配し、かつ前記NのOTUsubを取得するために各サブチャネルにFECを実行するとともにFECオーバーヘッド情報を追加する。好適には、サブチャネルの1つは、OTU-Nオーバーヘッドと、ODU-Nオーバーヘッドと、FASと、MFASとを含み、かつ他のN-1サブチャネルは、FAS及びMFASを含み、各サブチャネルのレートは基準レートレベルに等しい。FECは、各サブチャネルで実行され、FECの困難性を減少させることができる。
【０１０３】
方式2:処理されたOTU-Nを取得するためにOTU-NにFECを実行するとともにFECオーバーヘッド情報を追加し、前記処理されたOTU-Nを、列をインターリーブすることによって前記NのOTUsubに分配する。好適には、OTUsubの1つは、OTU-Nオーバーヘッドと、ODU-Nオーバーヘッドと、FASと、MFASとを含み、かつ他のN-1 OTUsubは、FAS及びMFASを含む。ここで、各OTUsubのレートは、基準レートレベルに等しい。
【０１０４】
シングルキャリアに関して、前記少なくとも1のプロセッサ904は、前記NのOTUsubをシングル光キャリアに変調する。
【０１０５】
複数の光サブキャリアに関して、例えば、少なくとも1のプロセッサ904が前記NのOTUsubをMのサブキャリアに変調するとき、前記NのOTUsubは、Mのグループに分割される。ここで、前記値Mは正の整数であり、かつOTUsubの各グループはサブキャリアに変調される。前記値Nは前記値Mの整数倍に設定される。好適には、NはMに等しい。好適には、前記Mのサブキャリアは、直交周波数分割多重方式を採用してもよい。
【０１０６】
図16を参照すると、図16は、光伝送ネットワークにおける受信装置の実施形態のブロック図である。前記受信装置110は、復調器1101及び少なくとも1のプロセッサ1104を備える。ここで、前記少なくとも1のプロセッサ1104は、メモリー1102に接続されてもよい。前記復調器1101は、受信された光キャリアからNのOTUsub(optical sub-channel transport unit,光サブチャネル伝送ユニット)を復調する。ここで、前記値Nは、必要に応じて設定可能である正の整数である。前記メモリー1102は、前記復調器1101によって復調されたNのOUTをバッファするように構成される。
【０１０７】
前記少なくとも1のプロセッサ1104は、以下の動作を実行するように構成される。その動作は、同一ファイバから1又は2以上の光キャリアを受信することと、前記1又は2以上の光キャリアから前記NのOTUsub(optical sub-channel transport unit,光サブチャネル伝送ユニット)を復調することと、前記NのOTUsubをアラインすることと、前記アラインされたNのOTUsubを、列をインターリーブすることによって1の可変レートコンテナOTU-Nに多重化することであって、前記OTU-Nのレートは予め設定された基準レートレベルと同一の高さであり、かつ前記値Nは必要に応じて設定可能である正の整数である、ことと、前記OTU-Nからクライアント信号をディマッピングすることである。
【０１０８】
前記少なくとも1のプロセッサ1104によって、前記NのOTUsubをアラインすることは、各OTUsubのフレームアラインメント信号(FAS)に基づいて前記NのOTUsubに対してフレーム区切りを実行することと、前記フレーム区切りをされた前記NのOTUsubのフレームヘッダーをアラインすることとを含む。
【０１０９】
以下の2つの方式が、少なくとも1のプロセッサ1104で、前記アラインされたNのOTUsubを、列をインターリーブすることによって1つのOTU-Nに多重化するために使用可能である。
【０１１０】
方式1:前記アラインされたNのOTUsubに対してFEC復号化を実行し、かつ次いで前記FEC復号化をされた前記NのOTUsubを、列をインターリーブすることによって1つのOTU-Nに多重化する。
【０１１１】
方式2:前記アラインされたNのOTUsubを、列をインターリーブすることによって1つのOTU-Nに多重化し、かつ前記OTU-Nに対してFEC復号化を実行する。
【０１１２】
少なくとも1のプロセッサ1104によって、OTU-Nからクライアント信号をディマッピングすることは、OTU-Nにおける各トリビュタリースロットに対応するトリビュタリースロットオーバーヘッドに搬送されたマッピング情報を取得するために、OTU-NのOPU-N(optical channel payload unit,光チャネルペイロードユニット)オーバーヘッドを解析することと、前記マッピング情報に基づいてOTU-Nの各トリビュタリースロットペイロード領域からクライアント信号をディマッピングすることとを含む。
【０１１３】
当業者は、実施形態の全て又は一部のステップが、ハードウェア又は関連ハードウェアに指示するプログラムによって実施されてもよいことを理解することができる。プログラムは、コンピュータ読み取り可能な記憶媒体に格納されてもよい。前記記憶媒体は、読み取り専用メモリー、磁気ディスク、及び光ディスクを含んでもよい。
【０１１４】
前述の記載は、本発明の単なる例示的な実施形態に過ぎず、本発明を制限することを意図していない。本発明の思想又は原理から逸脱することなく成される任意の修正、均等置換、又は改良は本発明の保護範囲に入るものとする。
【符号の説明】
【０１１５】
６０  送信装置
７０  受信装置
９０  送信装置
１１０  受信装置
６０１  構築モジュール
６０３  マッピングモジュール
６０５  分配モジュール
６０７  変調モジュール
６０９  送信モジュール
７０１  受信インタフェース
７０３  復調モジュール
７０５  アライニングモジュール
７０５ａ  フレーム区切りユニット
７０５ｂ  アライニングユニット
７０７  多重化モジュール
７０７ａ  復号化ユニット
７０７ｂ  多重化ユニット
７０９  ディマッピングモジュール
７０９ａ  解析ユニット
７０９ｂ  ディマッピングユニット
９０２  メモリー
９０４  プロセッサ
９０６  変調器
１１０１  復調器
１１０２  メモリー
１１０４  プロセッサ
【図１】
2015531194.tif 000003
【図２】
2015531194.tif 000004
【図３】
2015531194.tif 000005
【図４】
2015531194.tif 000006
【図５】
2015531194.tif 000007
【図６】
2015531194.tif 000008
【図７】
2015531194.tif 000009
【図８】
2015531194.tif 000010
【図９】
2015531194.tif 000011
【図１０】
2015531194.tif 000012
【図１１】
2015531194.tif 000013
【図１２】
2015531194.tif 000014
【図１３】
2015531194.tif 000015
【図１４】
2015531194.tif 000016
【図１５】
2015531194.tif 000017
【図１６】
2015531194.tif 000018
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
光伝送ネットワークにおいて、クライアント信号を送信するための方法であって、
受信したクライアント信号を、光チャネル伝送ユニット-N(OTU-N)にマッピングするステップであって、前記OTU-Nのレートは基準レートのN倍であり、かつ前記値Nは、設定可能な正の整数である、ステップと、
前記OTU-Nを、列でNの光サブチャネル伝送ユニット(OTUsub)に分配するステップであって、各OTUsubのレートは前記基準レートに等しい、ステップと、
前記NのOTUsubを1又は2以上の光キャリアに変調するステップと、
前記1又は2以上の光キャリアを送信用の同一のファイバ上に送信するステップと
を含む方法。
【請求項２】
前記値Nは、前記クライアント信号のトラフィック量と前記基準レートとに基づいて決定される請求項1に記載の方法。
【請求項３】
前記OTU-Nのフレーム構造は、列をインターリーブすることによるNのサブフレームから形成されており、かつ各サブフレームのレートは前記基準レートに等しい、請求項1又は2に記載の方法。
【請求項４】
列によって前記OTU-Nを、NのOTUsubに分配する前記ステップは、
列によって前記OTU-NをNのサブユニットに分配し、かつ前記NのOTUsubを取得するために各サブチャネルに対して前方誤り訂正(FEC)を実行するとともにFECオーバーヘッド情報を追加するステップ、
又は、
処理されたOTU-Nを取得するために前記OTU-Nに対してFECを実行するとともにFECオーバーヘッド情報を追加し、かつ列によって前記処理されたOTU-Nを前記NのOTUsubに分配するステップ
を含む、請求項1〜3のいずれか一項に記載の方法。
【請求項５】
前記NのOTUsubを1又は2以上の光キャリアに変調する前記ステップは、
前記NのOTUsubをMグループに分割するステップであって、1又は2以上の光キャリアはMの光サブキャリアを含み、前記値Mは正の整数であり、かつ前記値Nは前記値Mの整数倍である、ステップと、
OTUsubの各グループを1のサブキャリアに変調するステップと、
を含む請求項1〜4のいずれか一項に記載の方法。
【請求項６】
光伝送ネットワークにおける送信装置であって、
光チャネル伝送ユニット-N(OTU-N)を構築するように構成され、前記OTU-Nのレートは基準レートのN倍であり、かつ前記値Nは設定可能な正の整数である、構築モジュールと、
受信したクライアント信号を前記OTU-Nにマッピングするように構成されたマッピングモジュールと、
前記クライアント信号がマッピングされた前記OTU-Nを、列によってNの光サブチャネル伝送ユニット(OTUsub)に分配するように構成され、各OTUsubのレートは前記基準レートに等しい、分配モジュールと、
前記NのOTUsubを1又は2以上の光キャリアに変調するように構成された変調モジュールと、
前記1又は2以上の光キャリアを送信用の同一のファイバ上に送信するように構成された送信モジュールと
を備える送信装置。
【請求項７】
前記値Nは、前記クライアント信号のトラフィック量と前記基準レートとに基づいて決定される、請求項6に記載の装置。
【請求項８】
前記OTU-Nのフレーム構造は、列によってNのサブフレームから形成されており、かつ各サブフレームのレートは前記基準レートに等しい、請求項6又は7に記載の装置。
【請求項９】
列によって前記OTU-Nを、NのOTUsubに分配することは、
列によって前記OTU-NをNのサブユニットに分配し、かつ前記NのOTUsubを取得するために各サブチャネルに対して前方誤り訂正(FEC)を実行するとともにFECオーバーヘッド情報を追加すること、
又は、
処理されたOTU-Nを取得するために前記OTU-Nに対してFECを実行するとともにFECオーバーヘッド情報を追加し、かつ列によって前記処理されたOTU-Nを前記NのOTUsubに分配すること
を含む、請求項6〜8のいずれか一項に記載の装置。
【請求項１０】
前記NのOTUsubを1又は2以上の光キャリアに変調することは、
前記NのOTUsubをMグループに分割することであって、1又は2以上の光キャリアはMの光サブキャリアを含み、前記値Mは正の整数であり、かつ前記値Nは前記値Mの整数倍であることと、
OTUsubの各グループを1のサブキャリアに変調することと、
を含む請求項6〜9のいずれか一項に記載の装置。
【請求項１１】
光伝送ネットワークにおいてクライアント信号を受信する方法であって、
1又は2以上の光キャリアを同一ファイバから受信するステップと、
前記1又は2以上の光キャリアから、Nの光サブチャネル伝送ユニット(OTUsub)を復調するステップと、
前記NのOTUsubをアラインするステップであって、各OTUsubのレートは基準レートに等しい、ステップと、
前記アラインされたNのOTUsubを、列をインターリーブすることによって1の光チャネル伝送ユニット-N(OTU-N)に多重化するステップであって、前記OTU-Nのレートは基準レートのN倍であり、かつ前記値Nは設定可能な正の整数である、ステップと、
前記OTU-Nからクライアント信号をディマッピングするステップと
を含む方法。
【請求項１２】
前記値Nは、前記クライアント信号のトラフィック量と前記基準レートとに基づいて決定される、請求項11に記載の方法。
【請求項１３】
前記OTU-Nのフレーム構造は、列をインターリーブすることによるNのサブフレームから形成されており、かつ各サブフレームのレートは前記基準レートに等しい、請求項11又は12に記載の方法。
【請求項１４】
光伝送ネットワークにおける受信装置であって、
1又は2以上の光キャリアを同一ファイバから受信するように構成された受信インタフェースと、
前記受信インタフェースによって受信された前記1又は2以上の光キャリアから、Nの光サブチャネル伝送ユニット(OTUsub)を復調するように構成された復調モジュールと、
前記復調モジュールによって復調された前記NのOTUsubをアラインするように構成されたアライニングモジュールと、
前記アライニングモジュールによってアラインされた前記NのOTUsubを、列をインターリーブすることによって1の光チャネル伝送ユニット-N(OTU-N)に多重化するように構成され、前記OTU-Nのレートは前記基準レートのN倍であり、かつ前記値Nは設定可能な正の整数である、多重化モジュールと、
前記多重化モジュールによって生成された前記OTU-Nからクライアント信号をディマッピングするように構成されたディマッピングモジュールと
を備える受信装置。
【請求項１５】
前記値Nは、前記クライアント信号のトラフィック量と前記基準レートとに基づいて決定される、請求項14に記載の装置。
【請求項１６】
前記OTU-Nのフレーム構造は、列をインターリーブすることによるNのサブフレームから形成されており、かつ各サブフレームのレートは前記基準レートに等しい、請求項14又は15に記載の装置。
【手続補正２】
【補正対象書類名】明細書
【補正対象項目名】０００９
【補正方法】変更
【補正の内容】
【０００９】
別の態様において、本発明の態様は、光伝送ネットワークにおける送信装置を提供し、前記送信装置は、構築モジュールと、マッピングモジュールと、分配モジュールと、変調モジュールと、送信モジュールとを備える。前記構築モジュールは、可変レートコンテナOTU-Nを構築するように構成され、前記OTU-Nのレートは予め設定された基準レートレベルのN倍の高さであり、かつ前記値Nは必要に応じて設定可能な正の整数である。前記マッピングモジュールは、受信したクライアント信号を前記OTU-Nにマッピングするように構成される。前記分配モジュールは、前記クライアント信号がマッピングされた前記OTU-Nを、列によってNの光サブチャネル伝送ユニットOTUsubに分配するように構成され、各OTUsubのレートは前記基準レートレベルである。前記変調モジュールは、前記NのOTUsubを1又は2以上の光キャリアに変調するように構成される。前記送信モジュールは、前記1又は2以上の光キャリアを送信用の同一のファイバ上に送信するように構成される。
【手続補正３】
【補正対象書類名】明細書
【補正対象項目名】００１６
【補正方法】変更
【補正の内容】
【００１６】
【図１】従来技術において提供されるOTNフレームの構造図である。
【図２】本発明の実施形態において列をインターリーブすることによってOTNフレームから生成された可変レートコンテナOTU-Nのフレーム構造の概略図である。
【図３】本発明の実施形態における可変レートコンテナOTU-Nの概略的構造図である。
【図４】本発明の実施形態における可変レートコンテナOTU-Nの概略的構造図である。
【図５】本発明の実施形態における可変レートコンテナOTU-Nの概略的構造図である。
【図６】本発明の実施形態における可変レートコンテナOTU-Nの光チャネルペイロードユニットOPU-Nをトリビュタリースロットに分割する概略図である。
【図７】本発明の実施形態におけるOTNにおいてクライアント信号を送信するための方法のフローチャートである。
【図８】本発明の実施形態における2つの下位ODUtを可変レートコンテナOTU-Nにマッピングする概略図である。
【図９】本発明の実施形態における列によって可変レートコンテナOTU-Nを、複数の光サブチャネル伝送ユニットOTUsubに分配する概略図である。
【図１０】本発明の実施形態における列によって可変レートコンテナOTU-3のフレームヘッダーを分配する概略図である。
【図１１】本発明の実施形態の光伝送ネットワークにおいてクライアント信号を受信するための方法のフローチャートである。
【図１２】本発明の実施形態の光伝送ネットワークにおける送信装置の概略図である。
【図１３】本発明の実施形態の光伝送ネットワークにおける受信装置の概略図である。
【図１４】本発明の実施形態の光伝送ネットワークにおける別の受信装置の概略図である。
【図１５】本発明の実施形態の光伝送ネットワークにおける送信装置のブロック図である。
【図１６】本発明の実施形態の光伝送ネットワークにおける受信装置のブロック図である。
【手続補正４】
【補正対象書類名】明細書
【補正対象項目名】００４１
【補正方法】変更
【補正の内容】
【００４１】
ステップ102:図9に示されるように、OTU-Nは、列によって、NのOTUsub(Optical sub-channel Transport Unit,光サブチャネル伝送ユニット)に分配され、各OTUsubのレートは、基準レートレベルである。
【手続補正５】
【補正対象書類名】明細書
【補正対象項目名】００４２
【補正方法】変更
【補正の内容】
【００４２】
以下の2つの方式は、前記OTU-Nを、列によってNのOTUsubに分配するために利用可能である。
【手続補正６】
【補正対象書類名】明細書
【補正対象項目名】００４３
【補正方法】変更
【補正の内容】
【００４３】
方式1:OTU-Nを、列によってNのサブユニットに分配し、かる前記NのOTUsubを取得するために各サブチャネルに対してFECを実行するとともにFECオーバーヘッド情報を追加する。好適には、1つのサブチャネルは、OTU-Nオーバーヘッドと、ODU-Nオーバーヘッドと、FASと、MFASとを含み、かつ他のN-1サブチャネルは、FASとMFASとを含み、各サブチャネルのレートは、基準レートレベルに等しい。FECは、各サブチャネルにおいて実行され、FECの困難性を減少させることができる。
【手続補正７】
【補正対象書類名】明細書
【補正対象項目名】００４４
【補正方法】変更
【補正の内容】
【００４４】
方式2:処理されたOTU-Nを取得するために、OTU-Nに対してFECを実行するとともにFECオーバーヘッド情報を追加し、かつ前記処理されたOTU-Nを、列によって前記NのOTUsubに分配する。好適には、1つのOTUsubは、OTU-Nオーバーヘッドと、ODU-Nオーバーヘッドと、FASと、MFASとを含み、かつ他のN-1OTUsubはFAS及びMFASを含み、各OTUsubのレートは基準レートレベルに等しい。
【手続補正８】
【補正対象書類名】明細書
【補正対象項目名】００４９
【補正方法】変更
【補正の内容】
【００４９】
前記シングルキャリアによって占められる光スペクトルグリッド帯域幅の数と、適用される変調フォーマット(変調オーダーがk)は、限定されない。例えば、もし、シングルキャリアが4つの12.5Gの光スペクトルグリッド帯域幅を占める場合、次いでPM-16QAM(Polarization Multiplexing - 16 Quadrature Amplitude Modulation, 16番目-オーダー直交振幅変調)変調フォーマット(変調オーダーが16)が使用される。式2*4*12.5Gbit/s*log216を使用することによって計算され、シングルキャリアの帯域幅は最大で400G帯域幅であってもよく、これはクライアント信号を送信する要件を満たす。
【手続補正９】
【補正対象書類名】明細書
【補正対象項目名】００５０
【補正方法】変更
【補正の内容】
【００５０】
もし、シングルキャリアが8つの12.5Gの光スペクトルグリッド帯域幅を占める場合、次いで16QAM(16 Quadrature Amplitude Modulation, 16番目-オーダー直交振幅変調)変調フォーマット(変調オーダーが16)が使用される。式8*12.5Gbit/s*log216を使用することによって計算され、シングルキャリアの帯域幅は最大で400Gであってもよく、これはクライアント信号を送信する要件を満たす。
【手続補正１０】
【補正対象書類名】明細書
【補正対象項目名】００５４
【補正方法】変更
【補正の内容】
【００５４】
各サブキャリアによって占められる光スペクトルグリッド帯域幅の数と、使用される変調フォーマット(変調オーダーはkである)は限定されない。例えば、もし各サブキャリアが4つの12.5Gの光スペクトルグリッド帯域幅を占める場合、次いでBPSK(Binary Phase Shift Keying, バイナリ位相シフトキーイング)変調フォーマット(変調オーダーは2である)が使用される。式4*12.5Gbit/s*log22を使用して計算され、各サブキャリアの帯域幅は最大で50Gであってもよい。
【手続補正１１】
【補正対象書類名】明細書
【補正対象項目名】００５５
【補正方法】変更
【補正の内容】
【００５５】
もし各サブキャリアが1つの12.5Gの光スペクトルグリッド帯域幅を占める場合、次いでPM-QPSK(Polarization Multiplexing - QPSK, 偏波多重化直交位相シフトキーイング)変調フォーマット(変調オーダーは4である)が使用される。式2*12.5Gbit/s*log24を使用して計算され、各サブキャリアの帯域幅は最大で50Gであってもよい。
【手続補正１２】
【補正対象書類名】明細書
【補正対象項目名】００７５
【補正方法】変更
【補正の内容】
【００７５】
図9に示されるように、前記分配モジュール605は、OTU-Nを分配するように構成される。ここで、クライアント信号は、マッピングモジュール603によって、列によってNのOTUsub(Optical sub-channel Transport Unit,光サブチャネル伝送ユニット)にマッピングされる。ここで、各OTUsubのレートは、基準レートレベルである。
【手続補正１３】
【補正対象書類名】明細書
【補正対象項目名】００７６
【補正方法】変更
【補正の内容】
【００７６】
以下の2つの方式は、OTU-Nを、列によってNのOTUsubに分配するために、分配モジュール605で利用可能である。
【手続補正１４】
【補正対象書類名】明細書
【補正対象項目名】００７７
【補正方法】変更
【補正の内容】
【００７７】
方式1:前記OTU-Nを、列によってNのサブユニットに分配し、かつ前記NのOTUsubを取得するために各サブチャネルにFECを実行するとともにFECオーバーヘッド情報を追加する。好適には、サブチャネルの1つは、OTU-Nオーバーヘッドと、ODU-Nオーバーヘッドと、FASと、MFASとを含み、他のN-1サブチャネルはFAS及びMFASを含む。ここで各サブチャネルのレートは基準レートレベルに等しい。FECは、各サブチャネルで実行され、FECの困難性を減少させることができる。
【手続補正１５】
【補正対象書類名】明細書
【補正対象項目名】００７８
【補正方法】変更
【補正の内容】
【００７８】
方式2:処理されたOTU-Nを取得するためにOTU-NにFECを実行するとともにFECオーバーヘッド情報を追加し、かつ前記処理されたOTU-Nを、列によって前記NのOTUsubに分配する。好適には、OTUsubの1つは、OTU-Nオーバーヘッドと、ODU-Nオーバーヘッドと、FASと、MFASとを含み、かつ他のN-1OTUsubはFAS及びMFASを含む。ここで各OTUsubのレートは基準レートレベルに等しい。
【手続補正１６】
【補正対象書類名】明細書
【補正対象項目名】００９０
【補正方法】変更
【補正の内容】
【００９０】
図14を参照すると、前記多重化モジュール707は、復号化ユニット707a及び多重化ユニット707bを備える。任意で、前記復号化ユニット707aは、前記アラインされたNのOTUsubに対してFECを実行するように構成され、かつ前記多重化ユニット707bは、前記FEC復号化をされた前記NのOTUsubを、列をインターリーブすることによって1つのOTU-Nに多重化するように構成される。
【手続補正１７】
【補正対象書類名】明細書
【補正対象項目名】００９１
【補正方法】変更
【補正の内容】
【００９１】
別の実施形態では、多重化ユニット707bは、前記アラインされたNのOTUsubを、列をインターリーブすることによって1つのOTU-Nに多重化するように構成され、かつ前記復号化ユニット707aは、OTU-NにFEC復号化を実行するように構成される。
【手続補正１８】
【補正対象書類名】明細書
【補正対象項目名】００９７
【補正方法】変更
【補正の内容】
【００９７】
前記少なくとも1のプロセッサ904は、以下の動作を実行するように構成される。その動作は、OTU-Nと呼ばれる可変レートコンテナ構造を構築することであって、前記OTU-Nのレートは予め設定された基準レートレベルのN倍の高さであり、かつ前記値Nは設定可能な正の整数である、ことと、受信したクライアント信号をOTU-Nにマッピングすることと、前記OTU-Nを、列によってNのOTUsub(Optical sub-channel Transport Unit,光サブチャネル伝送ユニット)に分配することであって、各OTUsubのレートは前記基準レートレベルである、ことと、前記NのOTUsubを1又は2以上の光キャリアに変調することと、前記1又は2以上の光キャリアを送信用の同一のファイバ上に送信することである。
【手続補正１９】
【補正対象書類名】明細書
【補正対象項目名】０１０１
【補正方法】変更
【補正の内容】
【０１０１】
列によって、OTU-NをNのOTUsubに分配するために、以下の2つの方式が少なくとも1のプロセッサ904に使用可能である。
【手続補正２０】
【補正対象書類名】明細書
【補正対象項目名】０１０２
【補正方法】変更
【補正の内容】
【０１０２】
方式1:OTU-Nを、列によってNのサブユニットに分配し、かつ前記NのOTUsubを取得するために各サブチャネルにFECを実行するとともにFECオーバーヘッド情報を追加する。好適には、サブチャネルの1つは、OTU-Nオーバーヘッドと、ODU-Nオーバーヘッドと、FASと、MFASとを含み、かつ他のN-1サブチャネルは、FAS及びMFASを含み、各サブチャネルのレートは基準レートレベルに等しい。FECは、各サブチャネルで実行され、FECの困難性を減少させることができる。
【手続補正２１】
【補正対象書類名】明細書
【補正対象項目名】０１０３
【補正方法】変更
【補正の内容】
【０１０３】
方式2:処理されたOTU-Nを取得するためにOTU-NにFECを実行するとともにFECオーバーヘッド情報を追加し、前記処理されたOTU-Nを、列によって前記NのOTUsubに分配する。好適には、OTUsubの1つは、OTU-Nオーバーヘッドと、ODU-Nオーバーヘッドと、FASと、MFASとを含み、かつ他のN-1 OTUsubは、FAS及びMFASを含む。ここで、各OTUsubのレートは、基準レートレベルに等しい。
【手続補正２２】
【補正対象書類名】明細書
【補正対象項目名】０１０４
【補正方法】変更
【補正の内容】
【０１０４】
前述の記載は、本発明の単なる例示的な実施形態に過ぎず、本発明を制限することを意図していない。本発明の原理から逸脱することなく成される任意の修正、均等置換、又は改良は本発明の保護範囲に入るものとする。
【国際調査報告】
2015531194.tif 000019
2015531194.tif 000020
2015531194.tif 000021
2015531194.tif 000022